(57)【要約】【課題】本発明は、二段階式カーソル制御方法によってスクリ−ンモニター画面上のカーソルを高速迅速移動させることを特徴とするカーソル制御システムとその方法を提供する。【解決手段】カーソル制御システムとその方法は、使用者に二段階式のカーソル制御方法を提供する。第一段階目のカーソル制御プロセスにおいて、モニター画面を複数の画面ブロックに分割し、カーソルをモニター上の元来位置から前記画面ブロックの指定場所に移動させる。引き続き、第二段階目の制御プロセスにおいて、カーソルを分割された前記画面ブロックの所定位置から指定位置に移動させ、カーソルの迅速移動を実現する。【選択図】図１
2009258896.tif 000002
【特許請求の範囲】
【請求項１】
カーソル制御方法において、
格子状エリアを表示し、モニターを複数の画面ブロックに分割し、
前記モニター上の前記画面ブロックのブロック信号を検出し、
前記ブロック信号に基づきカーソルを前記画面ブロックの第１位置に移動させ、
前記カーソルを操作制御し、カーソルを前記画面ブロックの第１位置から前記第２位置に移動させるステップを含むことを特徴とするカーソル制御方法。
【請求項２】
前記カーソル制御方法は更に、前記モニター上の前記格子状エリア表示解除のステップを含むことを特徴とする請求項１記載のカーソル制御方法。
【請求項３】
前記カーソル制御方法は更に、前記モニター画面上の前記カーソルに所在するメニューを選択するステップを含むことを特徴とする請求項１記載のカーソル制御方法。
【請求項４】
前記の格子状エリアは、前記モニターに表示される画面の全域に表示することを特徴とする請求項１記載のカーソル制御方法。
【請求項５】
前記の格子状エリアは、前記モニターの表示する画面の最上層を覆う半透明のテンプレ−ト（Ｔｅｍｐｌａｔｅ）又は分割線であることを特徴とする請求項１記載のカーソル制御方法。
【請求項６】
前記の格子状エリアが分割する前記画面ブロックの大きさは同じであることを特徴とする請求項１記載のカーソル制御方法。
【請求項７】
前記の第１位置は、画面ブロックのエリア中央に位置することを特徴とする請求項１記載のカーソル制御方法。
【請求項８】
前記ブロック信号は、ブロック選択ユニットより入力することを特徴とする請求項１記載のカーソル制御方法。
【請求項９】
前記ブロック選択ユニットは、キーボード上に設け、前記キーボード上に備えた格子状エリアと相対する位置にある複数の特定キーであることを特徴とする請求項８記載のカーソル制御方法。
【請求項１０】
前記カーソル制御方法は更に、前記画面ブロックに特定キーに対応する文字や符号を表示することを特徴とする請求項９記載のカーソル制御方法。
【請求項１１】
前記ブロック選択ユニットは、タッチパッド（Ｔｏｕｃｈ  ｐａｄ）上に設け、格子状エリアに基づき区分された前記タッチパッド上の複数のブロックであることを特徴とする請求項８記載のカーソル制御方法。
【請求項１２】
前記カーソル制御方法は更に、前記画面ブロック内において、タッチパッド上のブロックに対応する記号を表示することを特徴とする請求項１１記載のカーソル制御方法。
【請求項１３】
前記の格子状エリアを表示し画面を複数の画面ブロックに分割するステップとは、特定ボタンをプッシュすることによって前記格子状エリアを表示するステップであることを特徴とする請求項１記載のカーソル制御方法。
【請求項１４】
前記のカーソルを画面ブロックの第１位置に移動させるステップとは、前記カーソルをモニター画面上の元来位置から前記第１位置に移動させるステップであることを特徴とする請求項１記載のカーソル制御方法。
【請求項１５】
前記のカーソルを画面ブロックの前記第１位置に移動させるステップとは、前記カーソルをモニター画面上の前記第１位置に直接置くステップであることを特徴とする請求項１記載のカーソル制御方法。
【請求項１６】
分割モジュールとブロック選択ユニットとブロック信号モジュールとカーソル制御ユニットを含むカーソル制御システムにおいて、
前記分割モジュールは、モニター画面上に格子状エリアを表示又は表示解除するものであり、前記格子状エリアによって前記モニター上の表示画面を複数の画面ブロックに分割し、
前記ブロック選択ユニットは、前記画面ブロックを代表する一つのブロック信号を入力するものであり、
前記ブロック信号モジュールは、前記ブロック選択ユニットに入力したた前記ブロック信号を検出し、並びに、前記ブロック信号の位置情報を処理し、
前記カーソル制御ユニットは、前記ブロック信号モジュールのブロック信号の位置情報を受信し、しかも前記カーソルを前記画面ブロック内に直接移動させることを特徴とするカーソル制御システム。
【請求項１７】
前記の格子状エリアは、前記モニター表示画面の全域に表示されることを特徴とする請求項１６記載のカーソル制御システム。
【請求項１８】
前記の格子状エリアは、前記モニター表示画面の最上層を覆う半透明のテンプレ−ト（Ｔｅｍｐｌａｔｅ）であることを特徴とする請求項１６記載のカーソル制御システム。
【請求項１９】
前記の格子状エリアは、前記モニター表示画面の最上層を分割する格子線であることを特徴とする請求項１６記載のカーソル制御システム。
【請求項２０】
前記の前記格子状エリアにより分割された画面ブロックの大きさは同じであることを特徴とする請求項１６記載のカーソル制御システム。
【請求項２１】
前記ブロック選択ユニットはキーボード上に設け、前記キーボード上に備えた格子状エリアとの相対位置にある複数の特定キーであることを特徴とする請求項１６記載のカーソル制御システム。
【請求項２２】
前記の分割モジュールは更に、画面ブロック内において特定キーに対応する文字や符号を表示することを特徴とする請求項２１記載のカーソル制御システム。
【請求項２３】
前記のブロック選択ユニットは、タッチパッド（Ｔｏｕｃｈ  ｐａｄ）上に設け、格子状エリアに基づき分割された前記タッチパッド上の複数のブロックであることを特徴とする請求項１６記載のカーソル制御システム。
【請求項２４】
前記の分割モジュールは、画面ブロックにおいて分割部に対応する記号を表示することを特徴とする請求項２３記載のカーソル制御システム。
【請求項２５】
前記の分割モジュールは、特定ボタンをプッシュすることによって分割機能が起動し、しかも格子状エリアを表示又は表示解除することを特徴とする請求項１６記載のカーソル制御システム。
【請求項２６】
前記の特定ボタンは、プッシュキーを備えるタッチパッド上のキーであることを特徴とする請求項２５記載のカーソル制御システム。
【発明の詳細な説明】
【技術分野】
【０００１】
本発明はカーソル制御システムとその方法、特に一種の二段階式カ―ソル移動制御システムとその方法に係わるものである。
【背景技術】
【０００２】
コンピュ−タのマンマシンインタ−フェ−スの入力部分は通常、文字入力装置とポインティング装置に分けられる。文字入力装置とは、キーボードあるいは手書き入力装置を指し、ポインティング装置とは、マウス、ジョイスティック、五方向キ−、タッチパッド（Ｔｏｕｃｈ  ｐａｄ）、タッチスクリーン（Ｔｏｕｃｈ  ｓｃｒｅｅｎ）などモニター上のカーソル移動制御装置を指す。
【０００３】
そのうち、五方向キ−とジョイスティックはカーソルの移動方向だけを制御しており、移動速度の制御は非常に難しく、操作に時間を要するため、あまり広範に使用されていない。一方、マウスはその使用が便利で、最も一般に使用されているが、大きい面積を要する。タッチパッド（Ｔｏｕｃｈ  ｐａｄ）は必要面積が小さく、操作の便利性においても、ジョイスティックや五方向キ−より優れているため、携帯式コンピュ−タに幅広く使用されている。前記のカーソル制御方式はいずれとも、モニター上の現在のカーソル位置を基準として移動方向と距離又は速度に関する指令を与えて、カーソルをモニター上で移動させており、使用者が目で受け取った情報に基づいて、カーソルを目標位置に移動させる方法である。もし、カーソルの現在位置と次の目標位置が遠く離れているなら、移動全体のプロセスは長くなる。五方向キ−やジョイスティックは、待ち時間が比較的長い。そして、タッチパッドを使用すると、指を数回往復移動しなければカーソルを目標区域に移動することができない。さらに、マウスは、より大きい移動面積を要する。一方、タッチスクリーン（Ｔｏｕｃｈ  ｓｃｒｅｅｎ）は小型電子装置に幅広く使われているが、指又はスタイラスペンを画面上で移動するとき、（1）画面が手首部に遮られる、（2）画面を汚し易い、（3）手に持ってする操作は人間工学的でないなどの課題が残る。
【０００４】
もう一種には、タッチパッド上における指の移動速度により拡大倍率を決める方法がある。即ち、タッチパッド上での指の移動速度が速いとき、より大きい距離比率でモニター上のカーソルを移動させ、移動速度が遅いときは、小さい距離比例で対象物位置に照準する。この方法により、タッチパッド使用における問題点はやや軽減されるが、この方法は依然として多くの使用者を満足させることができないでいる。
【０００５】
公知技術には、アメリカ合衆国特許公告第５３２７１６１号において、タッチパッド上で指をスライドさせた距離を一定比率に拡大した後、この拡大された距離をモニター上のカーソルの移動距離とする技術が開示されている。この方法は、カーソルの移動速度を速く、範囲を広く（即ち敏捷）できるが、カーソルを対象物位置に照準させるのは、敏捷過ぎる故に却って難しい。さらに、中華人民共和国特許公告ＣＮ１９４０８３７号において、一種のカーソルの迅速定位迅速の方法が開示されている。しかし前記システムは、指やスタイラスペンで接触するタッチ定位デバイスに対応するモニター上の位置エリアに、カーソルを定位させるだけであり、カーソルを指定位置に移動させることはできない。
【発明の開示】
【発明が解決しようとする課題】
【０００６】
前記した通り、いかにカーソルの移動操作のときに、使用者に与える不便感を払拭できるかが、実際に実用性を備える設計を生み出す思考方向となる。。
【０００７】
そのため、本発明のカーソル制御システムとその方法は、特に一種の二段階式カーソル移動の制御システムとその方法に関するもので、使用者に二段階式カーソル制御方法を提供することにより、モニター画面上のカーソルを迅速移動させる目的を実現する。
【課題を解決するための手段】
【０００８】
本発明の主な目的は、次の二段階式カーソル移動の制御技術を提供することにある。それは、第一段階目のカーソル移動プロセスにおいて、まずモニター画面上に格子状エリアを表示させ、モニター画面を複数の画面ブロックに分けるものである。使用者はモニターの表示画面より一つの画面ブロックを選択及び入力することにより、カーソルをモニター画面上の元来位置から前記画面ブロックの所定位置に移動させて、第一段階目のカーソル移動を完了する。引き続き、第二段階目のカーソル制御プロセスにおいて、使用者は通常のカーソル移動操作方法により、カーソルを操作制御して前記画面ブロックの所定位置から指定位置に移動させ、カーソルの迅速移動を実現する。
【０００９】
本発明の次の目的は、次の一種の二段階式のカーソル制御システムを提供することにある。それは、少なくとも分割モジュール、ブロック選択ユニット、ブロック信号モジュール、及びカーソル制御ユニットを含む。そのうち、分割モジュールはモニター上に格子状エリアを表示又は表示解除する機能を提供する。ブロック選択ユニットは、使用者が、モニター上の表示画面に従い、何れか一つの画面ブロックを選択し、並びに前記画面ブロックを代表するブロック信号を入力するのに用いるものである。。ブロック信号モジュールは、使用者が入力した前記ブロック信号を検出し、並びに、前記ブロック信号の位置情報を処理し、その後、カーソル制御ユニットに伝送する。更に、カーソル制御ユニットは前記ブロック信号の位置情報に基づき、カーソルを前記画面ブロックに直接移動させる。
【００１０】
本発明のもう一つの目的は、次の一種の二段階式のカ−ソル制御システムを提供することにある。前記方法は少なくとも、（１）モニター上に格子状エリアを表示し、一つのモニターを複数の画面ブロックに分割する。（２）前記モニター上の画面ブロックを代表するブロック信号を検出する。（３）前記ブロック信号に従い、カーソルを前記画面ブロックの第１位置に移動させる。（４）前記カーソルを操作制御して前記画面ブロックの第１位置から指定する第２位置に移動させる、四プロセスを含む。
【００１１】
すなわち、本願の第１発明は、一種のカーソル制御方法において、格子状エリアを表示し、モニターを複数の画面ブロックに分割し、前記モニター上の前記画面ブロックのブロック信号を検出し、前記ブロック信号に基づきカーソルを前記画面ブロックの第１位置に移動させ、前記カーソルを操作制御し、カーソルを前記画面ブロックの第１位置から前記第２位置に移動させるステップを含むことを特徴とするカーソル制御方法であることを要旨としている。
【００１２】
また、本願の第２発明は、前記カーソル制御方法は更に、前記モニター上の前記格子状エリア表示解除のステップを含むことを特徴とする本願の第１発明に記載のカーソル制御方法であることを要旨としている。
【００１３】
また、本願の第３発明は、前記カーソル制御方法は更に、前記モニター画面上の前記カーソルに所在するメニューを選択するステップを含むことを特徴とする本願の第１発明に記載のカーソル制御方法であることを要旨としている。
【００１４】
また、本願の第４発明は、前記の格子状エリアは、前記モニターに表示される画面の全域に表示することを特徴とする本願の第１発明に記載のカーソル制御方法であることを要旨としている。
【００１５】
また、本願の第５発明は、前記の格子状エリアは、前記モニターの表示する画面の最上層を覆う半透明のテンプレ−ト（Ｔｅｍｐｌａｔｅ）又は分割線であることを特徴とする本願の第１発明に記載のカーソル制御方法であることを要旨としている。
【００１６】
また、本願の第６発明は、前記の格子状エリアが分割する前記画面ブロックの大きさは同じであることを特徴とする本願の第１発明に記載のカーソル制御方法であることを要旨としている。
【００１７】
また、本願の第７発明は、前記の第１位置は、画面ブロックのエリア中央に位置することを特徴とする本願の第１発明に記載のカーソル制御方法であることを要旨としている。
【００１８】
また、本願の第８発明は、前記ブロック信号は、ブロック選択ユニットより入力することを特徴とする本願の第１発明に記載のカーソル制御方法であることを要旨としている。
【００１９】
また、本願の第９発明は、前記ブロック選択ユニットは、キーボード上に設け、前記キーボード上に備えた格子状エリアと相対する位置にある複数の特定キーであることを特徴とする請求項８記載のカーソル制御方法であることを要旨としている。
【００２０】
また、本願の第１０発明は、前記カーソル制御方法は更に、前記画面ブロックに特定キーに対応する文字や符号を表示することを特徴とする本願の第９発明に記載のカーソル制御方法であることを要旨としている。
【００２１】
また、本願の第１１発明は、前記ブロック選択ユニットは、タッチパッド（Ｔｏｕｃｈ  ｐａｄ）上に設け、格子状エリアに基づき区分された前記タッチパッド上の複数のブロックであることを特徴とする本願の第８発明に記載のカーソル制御方法であることを要旨としている。
【００２２】
また、本願の第１２発明は、前記カーソル制御方法は更に、前記画面ブロック内において、タッチパッド上のブロックに対応する記号を表示することを特徴とする本願の第１１発明に記載のカーソル制御方法であることを要旨としている。
【００２３】
また、本願の第１３発明は、前記の格子状エリアを表示し画面を複数の画面ブロックに分割するステップとは、特定ボタンをプッシュすることによって前記格子状エリアを表示するステップであることを特徴とする本願の第１発明に記載のカーソル制御方法であることを要旨としている。
【００２４】
また、本願の第１４発明は、前記のカーソルを画面ブロックの第１位置に移動させるステップとは、前記カーソルをモニター画面上の元来位置から前記第１位置に移動させるステップであることを特徴とする本願の第１発明に記載のカーソル制御方法であることを要旨としている。
【００２５】
また、本願の第１５発明は、前記のカーソルを画面ブロックの前記第１位置に移動させるステップとは、前記カーソルをモニター画面上の前記第１位置に直接置くステップであることを特徴とする本願の第１発明に記載のカーソル制御方法であることを要旨としている。
【００２６】
また、本願の第１６発明は、分割モジュールとブロック選択ユニットとブロック信号モジュールとカーソル制御ユニットを含むカーソル制御システムにおいて、
前記分割モジュールは、モニター画面上に格子状エリアを表示又は表示解除するものであり、前記格子状エリアによって前記モニター上の表示画面を複数の画面ブロックに分割し、
前記ブロック選択ユニットは、前記画面ブロックを代表する一つのブロック信号を入力するものであり、
前記ブロック信号モジュールは、前記ブロック選択ユニットに入力したた前記ブロック信号を検出し、並びに、前記ブロック信号の位置情報を処理し、
前記カーソル制御ユニットは、前記ブロック信号モジュールのブロック信号の位置情報を受信し、しかも前記カーソルを前記画面ブロック内に直接移動させることを特徴とするカーソル制御システムであることを要旨としている。
【００２７】
また、本願の第１７発明は、前記の格子状エリアは、前記モニター表示画面の全域に表示されることを特徴とする本願の第１６発明に記載のカーソル制御システムであることを要旨としている。
【００２８】
また、本願の第１８発明は、前記の格子状エリアは、前記モニター表示画面の最上層を覆う半透明のテンプレ−ト（Ｔｅｍｐｌａｔｅ）であることを特徴とする本願の第１６発明に記載のカーソル制御システムであることを要旨としている。
【００２９】
また、本願の第１９発明は、前記の格子状エリアは、前記モニター表示画面の最上層を分割する格子線であることを特徴とする本願の第１６発明に記載のカーソル制御システムであることを要旨としている。
【００３０】
また、本願の第２０発明は、前記の前記格子状エリアにより分割された画面ブロックの大きさは同じであることを特徴とする本願の第１６発明に記載のカーソル制御システムであることを要旨としている。
【００３１】
また、本願の第２１発明は、前記ブロック選択ユニットはキーボード上に設け、前記キーボード上に備えた格子状エリアとの相対位置にある複数の特定キーであることを特徴とする本願の第１６発明に記載のカーソル制御システムであることを要旨としている。
【００３２】
また、本願の第２２発明は、前記の分割モジュールは更に、画面ブロック内において特定キーに対応する文字や符号を表示することを特徴とする本願の第２１発明に記載のカーソル制御システムであることを要旨としている。
【００３３】
また、本願の第２３発明は、前記のブロック選択ユニットは、タッチパッド（Ｔｏｕｃｈ  ｐａｄ）上に設け、格子状エリアに基づき分割された前記タッチパッド上の複数のブロックであることを特徴とする本願の第１６発明に記載のカーソル制御システムであることを要旨としている。
【００３４】
また、本願の第２４発明は、前記の分割モジュールは、画面ブロックにおいて分割部に対応する記号を表示することを特徴とする本願の第２３発明に記載のカーソル制御システムであることを要旨としている。
【００３５】
また、本願の第２５発明は、前記の分割モジュールは、特定ボタンをプッシュすることによって分割機能が起動し、しかも格子状エリアを表示又は表示解除することを特徴とする本願の第１６発明に記載のカーソル制御システムであることを要旨としている。
【００３６】
また、本願の第２６発明は、前記の特定ボタンは、プッシュキーを備えるタッチパッド上のキーであることを特徴とする本願の第２５発明に記載のカーソル制御システムであることを要旨としている。
【発明の効果】
【００３７】
本発明のカーソル移動の制御システムとその方法は、二段階式カーソル制御方法によってスクリ−ンモニター画面上のカーソルを高速かつ迅速に移動させることができる。
【発明を実施するための最良の形態】
【００３８】
本発明の詳細並びに技術は、図面を併せて、以下の通り詳細説明する。
【００３９】
本発明による一種の二段階式のカーソル制御システムとその方法は、使用者に二段階式のカーソル制御方法を提供し、モニター上のカーソルを迅速移動させる目的を実現する。以下に、図面を併せて、本発明によるシステムの最良実施例を詳細説明し、更に本発明の方法技術を応用したステップフロ−を開示する。
【００４０】
図１は、本発明に関するカーソル制御システムのブロック図である。図１に示す通り、本発明の提供するカーソル制御システム１００は、分割モジュール１１０、ブロック選択ユニット１２０、ブロック信号モジュール１３０、及びカーソル制御ユニット１４０を最低含む。その内の前記分割モジュール１１０は、特定ボタン１１１をプッシュすることにより、分割機能を起動して、格子状エリアを表示又は表示解除する。前記特定ボタン１１１はタッチパッド上のキーをプッシュするだけで、前記モニター１５０上に格子状エリア１５１を表示又は表示解除でき、前記格子状エリア１５１は前記モニター１５０上にディスプレイする画面の全域に表示され、並びに、前記モニター１５０の表示画面は、複数の画面ブロックに分けられる。ブロック選択ユニット１２０は、使用者に、モニター１５０表示画面上の画面ブロックに基づき、何れか一つの画面ブロックを選択させ、並びに、前記画面ブロックを代表するブロック信号を入力させる。ブロック信号モジュール１３０は、使用者が前記ブロック選択ユニット１２０より入力した画面ブロック１５１ｎを代表するブロック信号を検出し、並びに、前記ブロック信号処理の位置情報を処理した後、カーソル制御ユニット１４０に伝送する。カーソル制御ユニット１４０はブロック信号モジュール１３０が算出した前記ブロック信号の位置情報を受信した後、位置情報に従い、モニター１５０上のカーソル１５２を前記画面ブロックへ直接移動させる。前記カーソル制御ユニット１４０によるカーソル１５２の移動方法は、カーソル１５２を前記モニター１５０上の元来位置から前記画面ブロックの所定位置にスライド移動させるか、又はカーソル１５２を画面ブロックの所定位置に直接置くことができる。前記の前記格子状エリア１５１は前記モニター１５０表示画面の最上層を覆う半透明テンプレ−ト（Ｔｅｍｐｌａｔｅ）又は分割線であり、前記格子状エリア１５１により区分された前記画面ブロックの大きさは同じである。ブロック選択ユニット１２０はタッチパッド（Ｔｏｕｃｈ  ｐａｄ）上に設け、前記格子状エリアに基づき区分されたタッチパッド上の複数の分割ブロックである。
【実施例１】
【００４１】
引き続き、図２Ａ〜図２Ｄを参照する。これらは本発明によるカーソル制御システムの実施例１の概略図である。
【００４２】
図２Ａに、通常使用状態のモニター２００画面を示す。このとき、カーソル２１０（矢印）はファイル（Ｆｉｌｅ）を指しており、タッチパッド２２０は１６の分割ブロックに区分し、タッチパッド２２０の下方にモニター２００を分割するための分割起動ボタン２３０を設ける。使用者はカーソル２１０を左上の隅から右下の隅に移動させて、『下方スクロ−ル』を選択したい場合は、図２Ｂに示す通り、使用者が分割起動ボタン２３０をプッシュすると、モニター２００画面にブロック分割状態が現れる。モニター２００上の各ブロックはタッチパッド２２０の各分割ブロックに対応している。モニター２００のブロックとタッチパッド２２０上の分割ブロックには全て１〜１６の同じ符号が示されている。
次に、図２Ｃに示す通り、選択項目の『下方スクロ−ル』はコ−ド『１６』に前記当するため、使用者はタッチパッド２２０上の『１６』の分割ブロックをプッシュすると、カーソル２１０はモニター２００上のコード『１６』の中央箇所に直接移動し、その後、モニター２００のブロック分割状態が解除される。最後に、図２Ｄに示す通り、カーソル２１０は既に選択項目の『下方スクロ−ル』の左側近くにあるため、使用者は指を少し移動、即ち、タッチパッド２２０上の何れの位置において右方向の若干のスライドを行うだけで、モニター２００上のカーソル２１０は右側の『下方スクロ−ル』に移動され、使用者は入力ボタンをプッシュするだけで『下方スクロ−ル』を起動できる。
【００４３】
以下に本発明に関するシステム素子の働きを説明する。ブロック選択ユニット１２０はタッチパッド２２０ （Ｔｏｕｃｈ  ｐａｄ）上に設け、前記タッチパッド２２０は格子状エリア１５１に基づき、１６の分割ブロックに区分する（任意の複数であっても良い）。前記分割ブロックの表記記号は異なる符号又は数字で示し（本実施例の分割ブロックは１〜１６である）、ブロック選択ユニット１２０とする。また、使用者が一つの特定ボタン（分割起動ボタン２３０）をプッシュすると、前記分割モジュール１１０はモニター１５０上に格子状エリア１５１を表示し、前記画面ブロック内に前記の分割ブロックに対応する表記記号を表示することができ、使用者は便利に、画面ブロックに表示された記号を対照し、特定の画面ブロックを選択し、並びに前記特定画面ブロックを代表するブロック信号を入力することができる。
【実施例２】
【００４４】
引き続き、図３Ａ〜図３Ｃを参照する。これらは本発明によるカーソル制御システムの実施例２の概略図である。
【００４５】
図３Ａは通常の使用状態のモニター３００画面を示す。このとき、カーソル３１０はモニター３００右下の隅箇所を指している。また、キーボード３２０を有しているが、前記図ではキーボード３２０の一部を示しているだけであり、これにて説明を行う。キーボード３２０上にはタッチボタン３４０を設けてカーソル３１０を移動させ、キーボード３２０の下方に分割起動ボタン３３０を設け、モニター３００を分割する。使用者がカーソル３１０をモニター３００左上の隅のファイル（Ｆｉｌｅ）に移動したい場合は、図３Ｂに示す通り、使用者が分割起動ボタン３３０をプッシュすると、モニター３００にブロック分割状態が現れる。モニター３００上の各ブロックはキーボード３２０上のそれぞれのキ−に対応されており、本実施例においては、６〜９の４列、合計１６キ−に対応している。最後に、図３Ｃに示す通り、左上の隅のファイル（Ｆｉｌｅ）はキ−６の分割ブロックに対応している故、使用者がキー６をプッシュすると、カーソル３１０は前記ブロックの中央位置に直接移動し、左上の隅のファイル（Ｆｉｌｅ）の右下の隅付近に来た後、モニター３００のブロック分割状態は解除される。続いて、使用者が指を少し移動、即ち、タッチボタン３４０上において左上方向に若干スライド移動すると、モニター３００上のカーソル３１０はファイル（Ｆｉｌｅ）のメニュー選択に移動し、使用者が入力ボタンをプッシュするだけでファイル（Ｆｉｌｅ）機能を実行することができる。
【００４６】
以下に、本発明のシステム素子の働きを説明する。ブロック選択ユニット１２０はキーボード３２０上に設け、キーボード３２０には、前記格子状エリア１５１と相対的な位置にある複数の特定キーを備えて、ブロック選択ユニット１２０とし、一つの特定ボタン（分割起動ボタン３３０）をプッシュすると、前記分割モジュール１１０は、モニター１５０上に格子状エリア１５１を表示し、前記画面ブロック内には前記特定キーに対応する文字や符号を表示させている故、使用者は画面ブロックに表示された文字や符号を対照しながら特定の画面ブロックを選択し、並びに、前記特定画面ブロックを代表するブロック信号を入力することができる。
【００４７】
次に、本発明によるカーソル制御方法のステップフロ−図を示す図４を参照する。本発明が提供するカーソル制御方法は、二段階式カーソル制御によりモニター画面上のカーソルの迅速移動を実現するものである。その内の第一段階目のカーソル制御プロセスは、図４に示す通り、まず分割モジュール１１０により、モニター１５０上に格子状エリア１５１を表示させ、モニター１５０を複数の画面ブロック（ステップ４００）に分割する。続いて、使用者はモニター１５０の表示画面において分割された画面ブロックに基づき、何れか一つの画面ブロックを選択し、前記ブロック選択ユニット１２０より前記画面ブロックを代表するブロック信号を入力する。このとき、ブロック信号モジュール１３０は、前記モニター１５０の画面ブロック１５１ｎを代表する前記ブロック信号（ステップ４１０）を検出し、前記ブロック信号モジュール１３０により前記ブロック信号の位置情報を算出処理し、カーソル制御ユニット１４０に伝送する。カーソル制御ユニット１４０は、前記ブロック信号の位置情報を受信した後、前記ブロック信号に基づきりカーソル１５２を画面ブロック１５１ｎの第１位置に移動する（ステップ４２０）。前記ステップ４２０におけるカーソル１５２の移動とは、カーソル１５２を前記モニター１５０上の元来位置から前記第１位置にスライド移動させるか、又はカーソル１５２を前記モニター１５０上の前記第１位置に直接置くかである。カーソル制御ユニット１４０によりカーソル１５２を前記画面ブロックの前記第１位置に移動した後、更に分割モジュール１１０により、モニター１５０上の前記格子状エリア１５１表示を解除する（ステップ４３０）。引き続き、第二段階目のカーソル制御プロセスにおいて、使用者は通常のカーソル移動操作方法に基づき、前記カーソル１５２を前記画面ブロック上の第１位置から指定の第２位置に移動させる（ステップ４４０）。その後、使用者は前記第２位置にあるカーソル１５２の指す前記モニター１５０表示画面のメニューを選択（ステップ４５０）、本プロセスフロ−を終了する。
【００４８】
前記の方法に従い、使用者は本発明によるカーソル制御システムを用いて、二段階式のカーソル制御方式により、モニター画面上のカーソルを迅速移動させる目的を実現できる。
【実施例３】
【００４９】
図５は、本発明によるカーソル制御システムの実施例３を示す。実施例１と違う点は、実施例１は分割起動ボタン２３０を使用しているのに対し、本実施例はキ−タイプのタッチパッド５２０を使用しており、また本実施例は、、プッシュ部品５３０を起動ボタンとしているところにある。
【００５０】
本発明は前記の最良実施例でもって説明したが、これらの説明は本発明になんらかの制限を加えるものでは決してなく、この種の技術を熟知する者が、本発明の精神と範囲を逸脱せずに変更と修飾を実施することは可能である。よって、本発明の保護される範囲は、本発明に記載する特許請求範囲を基準とするものとする。
【図面の簡単な説明】
【００５１】
【図１】本発明によるタッチパッドカーソル制御方法のフロ−図である。
【図２Ａ】本発明によるカーソル制御システムの実施例１の概略図である。
【図２Ｂ】本発明によるカーソル制御システムの実施例１の概略図である。
【図２Ｃ】本発明によるカーソル制御システムの実施例１の概略図である。
【図２Ｄ】本発明によるカーソル制御システムの実施例１の概略図である。
【図３Ａ】本発明によるカーソル制御システムの実施例２の概略図である。
【図３Ｂ】本発明によるカーソル制御システムの実施例２の概略図である。
【図３Ｃ】本発明によるカーソル制御システムの実施例２の概略図である。
【図４】本発明によるカーソル制御方法のステップフロ−図である。
【図５】本発明によるカーソル制御システムの実施例３の概略図である。
【符号の説明】
【００５２】
１００  カーソル制御システム
１１０  分割モジュール
１１１  特定ボタン
１２０  ブロック選択ユニット
１３０  ブロック信号モジュール
１４０  カーソル制御ユニット
１５０  モニター
１５１  格子状エリア
１５２  カーソル
２００  モニター
２１０  カーソル
２２０  タッチパッド
２３０  分割起動ボタン
３００  モニター
３１０  カーソル
３２０  キーボード
３３０  分割起動ボタン
３４０  タッチボタン
５２０  タッチパッド
５３０  プッシュ部品
【図１】
2009258896.tif 000003
【図２Ａ】
2009258896.tif 000004
【図２Ｂ】
2009258896.tif 000005
【図２Ｃ】
2009258896.tif 000006
【図２Ｄ】
2009258896.tif 000007
【図３Ａ】
2009258896.tif 000008
【図３Ｂ】
2009258896.tif 000009
【図３Ｃ】
2009258896.tif 000010
【図４】
2009258896.tif 000011
【図５】
2009258896.tif 000012